(57)【要約】【課題】  大きさを調節することができ、効率よく掃除を行なうことができる電機掃除機の吸込口本体および該吸込口本体を備えた電機掃除機を提供する。【解決手段】  吸込口本体は、突出部５Ａ（連結部）と、ごみの吸込口の一部を構成する第１開口部とを有する第１蓋部５（ベース部）と、第１蓋部５から離れる方向にスライド移動可能な状態で突出部５Ａに取付けられ、第１開口部と連通し、吸込口の一部を構成する第２開口部を有する第２蓋部６（スライド部）とを備える。【選択図】        図２
2005124977.tif 000002
【特許請求の範囲】
【請求項１】
連結部と、吸込口の一部を構成する第１開口部とを有するベース部と、
前記ベース部から離れる方向にスライド移動可能に前記連結部に取付けられ、前記第１開口部と連通し、前記吸込口の一部を構成する第２開口部を有するスライド部とを備えた電機掃除機の吸込口本体。
【請求項２】
前記ベース部内に受け入れられる第１回転ブラシと、
前記スライド部内に受け入れられる第２回転ブラシとをさらに備え、
前記第２回転ブラシは、前記第１回転ブラシから離れる方向にスライド移動可能で、かつ前記第１回転ブラシの回転方向に前記第１回転ブラシと係合するように、前記第１回転ブラシと嵌合される、請求項１に記載の電機掃除機の吸込口本体。
【請求項３】
前記スライド部は、前記吸込口本体の長手方向にスライド移動可能に前記ベース部と嵌合される、請求項１または請求項２に記載の電機掃除機の吸込口本体。
【請求項４】
前記ベース部に対する第１の位置で前記スライド部を前記連結部に係止することで前記スライド部を位置決めする第１係止部と、
前記スライド部の移動方向に前記第１の位置よりも前記ベース部から離れた第２の位置で前記スライド部を前記連結部に係止することで前記スライド部を位置決めする第２係止部とをさらに備えた、請求項１から請求項３のいずれかに記載の電機掃除機の吸込口本体。
【請求項５】
吸込気流を内部に導く吸込口を有し、長手方向に伸縮可能である電機掃除機の吸込口本体。
【請求項６】
請求項１から請求項５のいずれかに記載の吸込口本体を備えた電機掃除機。
【発明の詳細な説明】
【技術分野】
【０００１】
本発明は、電機掃除機の吸込口本体（ｓｕｃｔｉｏｎ  ｈｅａｄ）および電機掃除機に関する。
【背景技術】
【０００２】
従来の電機掃除機の吸込口本体としては、特開平３−２４４４２３号公報（従来例１）や特開平１１−２０６６３３号公報（従来例２）に記載されたものなどが挙げられる。
【０００３】
従来例１においては、略Ｔ字状の本体と、該本体の横長部に収納された回転ブラシと、回転ブラシの長手方向の中央に収納されたモータと、モータの回転を回転ブラシに伝えるベルトとを備え、本体には回転ブラシに沿った開口からなる吸込口を設けた電機掃除機の吸込口本体が開示されている。この吸込口本体には、回転ブラシの端部を除く部位にモータからのベルトを介した回転が伝えられる従動プーリが設けられている。
【０００４】
従来例２においては、板張の床を走行したときの走行音の減少と、床面への車輪による傷や走行跡が付くのを防止するために、車輪の床面に接する外周を、静電植毛加工によって、微小径で毛足の長い微小突起毛で覆うようにした電機掃除機の吸込口本体が開示されている。
【特許文献１】特開平３−２４４４２３号公報
【特許文献２】特開平１１−２０６６３３号公報
【発明の開示】
【発明が解決しようとする課題】
【０００５】
しかしながら、上記のような電機掃除機の吸込口本体においては、以下のような問題があった。
【０００６】
従来例１および従来例２における吸込口本体は、その本体およびごみを吸引する開口の大きさが一定である。したがって、たとえば広い床面を掃除する際は、何度も往復しなければならない場合がある。また、たとえば狭い床面を掃除する際は、吸込口本体を挿入することができず、他の付属の吸込口に付けかえるなどして掃除しなければならない場合がある。いずれの場合も、効率は低下する。
【０００７】
本発明は、上記のような問題に鑑みてなされたものであり、本発明の目的は、大きさを調節することができ、効率よく掃除を行なうことができる電機掃除機の吸込口本体および該吸込口本体を備えた電機掃除機を提供することにある。
【課題を解決するための手段】
【０００８】
本発明に係る電機掃除機の吸込口本体は、１つの局面では、連結部と、吸込口の一部を構成する第１開口部とを有するベース部と、ベース部から離れる方向にスライド移動可能に連結部に取付けられ、第１開口部と連通し、吸込口の一部を構成する第２開口部を有するスライド部とを備える。
【０００９】
これにより、床面の広さに応じて吸込口本体の大きさを調節することができる。したがって、効率よく掃除を行なうことができる。
【００１０】
上記の吸込口本体は、ベース部内に受け入れられる第１回転ブラシと、スライド部内に受け入れられる第２回転ブラシとをさらに備え、第２回転ブラシは、第１回転ブラシから
離れる方向にスライド移動可能で、かつ第１回転ブラシの回転方向に第１回転ブラシと係合するように、第１回転ブラシと嵌合されることが好ましい。
【００１１】
これにより、回転ブラシが吸込口本体の伸縮に追随して伸縮することができるようになる。この結果、集塵効果を高めることができる。
【００１２】
スライド部は、吸込口本体の長手方向にスライド移動可能にベース部と嵌合されることが好ましい。
【００１３】
吸込口本体の長手方向の長さは、一度に掃除を行なうことができる幅に相当する。したがって、上記の構成により、たとえば床面の幅が大きい場合には、往復する回数を減じることができ、たとえば床面の幅が小さい場合には、他の付属の吸込口本体に取りかえる必要がないなどの効果を得ることができる。
【００１４】
上記の吸込口本体は、ベース部に対する第１の位置でスライド部を連結部に係止することでスライド部を位置決めする第１係止部と、スライド部の移動方向に第１の位置よりもベース部から離れた第２の位置でスライド部を連結部に係止することでスライド部を位置決めする第２係止部とをさらに備えることが好ましい。
【００１５】
これにより、ベース部に対するスライド部の位置を多段階で調節することができる。
【００１６】
本発明に係る電機掃除機の吸込口本体は、他の局面では、吸込気流を内部に導く吸込口を有し、長手方向に伸縮可能である。
【００１７】
これにより、一度に掃除を行なうことができる幅を調節することができる。
【００１８】
本発明に係る電機掃除機は、上述した吸込口本体を備える。
【００１９】
これにより、効率よく掃除を行なうことができる。
【発明の効果】
【００２０】
本発明によれば、吸込口本体の大きさを調節することができるので、効率よく掃除を行なうことができる。
【発明を実施するための最良の形態】
【００２１】
以下に、本発明に基づく電機掃除機およびその吸込口本体の実施の形態について、図１から図１４を用いて説明する。
【００２２】
（実施の形態１）
図１は、実施の形態１に係る電機掃除機の吸込口本体の１つの状態（伸張させない状態）を示す上面図である。また、図２は、図１に示す吸込口本体を伸張させた状態を示す上面図である。一方、図３は、図１の状態を示す上記の吸込口本体の底面図であり、図４は、図２の状態を示す該吸込口本体の底面図である。他方、図５は、図１の状態を示す上記の吸込口本体の上面断面図であり、図６は、図２の状態を示す該吸込口本体の上面断面図である。
【００２３】
本実施の形態に係る吸込口本体は、図１から図６に示すように、突出部５Ａ（連結部）と、ごみの吸込口の一部を構成する第１開口部４０とを有する第１蓋部５（ベース部）と、第１蓋部５から離れる方向（図２，図４，図６に示す吸込口本体の長手方向）にスライド移動可能な状態で突出部５Ａに取付けられ、第１開口部４０と連通し、吸込口の一部を
構成する第２開口部４０Ａを有する第２蓋部６（スライド部）とを備える。
【００２４】
第２蓋部６は、吸込口本体の長手方向にスライド移動可能に第１蓋部５と嵌合されている。本実施の形態においては、具体的には、図２および図４に示すように、第１蓋部５の側方から突出する突出部５Ａに、第２蓋部６が外嵌されている。すなわち、突出部５Ａは、第１と第２蓋部５，６を接続する接続部として機能する。
【００２５】
この嵌合構造については、上記のように突出部５Ａに第２蓋部６を外嵌する構造に限られるものではなく、たとえば第２蓋部６に突出部５Ａを外嵌する構造であってもよい。
【００２６】
図３を参照して、第１開口部４０は、第１蓋部５に取付けられる第１底板７によって囲まれる領域に形成される。吸込口本体を伸張させない場合、ごみの吸込口は、第１開口部４０によって形成される。
【００２７】
図４を参照して、第２開口部４０Ａは、第２蓋部６に取付けられる第２底板８によって囲まれる領域に形成される。吸込口本体を伸張させた場合、ごみの吸込口は、第１開口部４０と第２開口部４０Ａとによって形成される。
【００２８】
第１蓋部５には、吸込路４が設けられている。吸込路４は、接続管を介して掃除機本体と接続され、第１と第２開口部４０，４０Ａから集塵されたごみは、吸込路４を介して掃除機本体に送られる。
【００２９】
吸込口本体内には、第１蓋部５内に受け入れられる第１回転ブラシ本体２Ａと、第２蓋部６内に受け入れられる第２回転ブラシ本体２Ｂとが設けられている。また、第１蓋部５内には、モータ１（駆動手段）が設けられており、ベルト３（回転伝達手段）を介してモータ１による動力が第１回転ブラシ本体２Ａに伝えられる。第１と第２回転ブラシ本体２Ａ，２Ｂには、ブラシ１０が植毛されている。
【００３０】
第１と第２回転ブラシ本体２Ａ，２Ｂは、回転軸１１の回りを回転する。回転軸１１は、第１と第２軸受け部９Ａ，９Ｂに取付けられている。
【００３１】
第２回転ブラシ本体２Ｂは、第１回転ブラシ本体２Ａから離れる方向（図２，図４，図６に示す吸込口本体の長手方向）にスライド移動可能に設けられている。
【００３２】
図７は、上述した回転ブラシの１つの状態（図１の状態）を示す正面図であり、図８は、該回転ブラシを伸張させた状態（図２の状態）を示す正面図である。一方、図９は、図７の状態を示す回転ブラシの正面断面図であり、図１１は、図８の状態を示す回転ブラシの正面断面図である。なお、図１０は、図９におけるＸ−Ｘ断面を示す図である。
【００３３】
図７および図８を参照して、回転ブラシ本体２Ａ，２Ｂは互いに嵌合し、回転ブラシ全体として、伸縮自在な状態となっている。また、該ブラシ本体２Ａ，２Ｂは、上記の嵌合部分に、それぞれ第１と第２外周部２０Ａ，２０Ｂを有する。第１と第２外周部２０Ａ，２０Ｂは互いに係合しており、これにより、第２の回転ブラシ本体２Ｂが、第１回転ブラシ本体２Ａの回転方向（図１０参照）に第１回転ブラシ本体２Ａと係合する。この結果、回転ブラシの伸縮の状態（図７または図８に示す状態）の如何に関わらず、モータ１からベルト３を介して第１回転ブラシ本体２Ａに伝達した回転動力が、第２回転ブラシ本体２Ｂにも伝達される。
【００３４】
第１と第２回転ブラシ本体２Ａ，２Ｂの嵌合構造について、図９から図１１を用いて、さらに詳細に説明する。
【００３５】
図９を参照して、回転軸１１は、第１回転軸１１Ａと第２回転軸１１Ｂとから構成されている。第１回転ブラシ本体２Ａの回転ブラシ挿入孔２１Ａに、第２回転ブラシ本体２Ｂの挿入部２１Ｂが挿入される。挿入部２１Ｂには、回転軸挿入孔２２が設けられており、該孔２２に第１回転軸１１Ａが挿入される。
【００３６】
図１０を参照して、第１回転ブラシ本体２Ａの外周部２０Ａと、第２回転ブラシ本体２Ｂの外周部２０Ｂとは、回転ブラシの回転方向に互いに係止されている。これにより、第１回転ブラシ本体２Ａに伝達された回転動力が、第２回転ブラシ本体２Ｂにも伝達される。
【００３７】
図１１を参照して、回転ブラシが伸張した状態では、挿入部２１Ｂの先端部が、回転ブラシ挿入孔２１Ａ内に挿入され、第１回転軸１１Ａの先端部が、回転軸挿入孔２２に挿入されている。これにより、回転ブラシが伸張した状態でも、第２回転ブラシ本体２Ｂの回転軸が、第１回転ブラシ本体２Ａの回転軸とずれることがない。
【００３８】
また、図１１の状態においても、第１回転ブラシ本体２Ａの外周部２０Ａと、第２回転ブラシ本体２Ｂの外周部２０Ｂとは、回転ブラシの回転方向に互いに係止されている。したがって、回転ブラシが伸張した状態においても、第１回転ブラシ本体２Ａに伝達された回転動力が、第２回転ブラシ本体２Ｂにも伝達される。
【００３９】
上述した吸込口本体の構成について換言すると、以下のようになる。すなわち、本実施の形態に係る電機掃除機の吸込口本体は、吸込気流を内部に導く吸込口を有し、長手方向（図２，図４，図６参照）に伸縮可能である。
【００４０】
本実施の形態においては、上述した構成により、効率よく掃除を行なうことができる電機掃除機の吸込口本体を提供することができる。具体的には、床面の広さに応じて吸込口本体の大きさを調節することができる。
【００４１】
本実施の形態においては、吸込口本体の伸縮方向を、該吸込口本体の長手方向としたため、一度に掃除を行なうことができる幅を調節することができる。この結果、床面の幅が大きい場合には、一定の広さの床面を掃除するために往復する回数を減じることができる。また、床面の幅が小さい場合には、吸込口本体を縮小させることで、狭隘部専用の別の吸込口本体に取りかえる必要がなくなる場合がある。
【００４２】
なお、上記の伸縮方向は、吸込口本体の長手方向に限定されるものではなく、たとえば、吸込口本体の幅方向（図２，図４，図６参照）であってもよい。
【００４３】
また、上述したように、回転ブラシが吸込口本体の伸縮に追随して伸縮することができるので、集塵効果をさらに高めることができる。
【００４４】
（実施の形態２）
図１２は、実施の形態２に係る電機掃除機の吸込口本体の１つの状態（伸張させない状態）を示す上面断面図である。また、図１３は、図１２に示す吸込口本体を伸張させた状態を示す上面断面図である。
【００４５】
本実施の形態に係る吸込口本体は、実施の形態１に係る吸込口本体の変形例であって、図１２および図１３に示すように、第１蓋部５（ベース部）に対する第１の位置（図１２に示す位置）で第２蓋部６（スライド部）を突出部５Ａ（連結部）に係止することで第２蓋部６を位置決めする凸部１３Ａ（第１係止部）と、第２蓋部６の移動方向（図１２，図
１３における左右方向）に第１の位置よりもベース部から離れた第２の位置（図１３に示す位置）で第２蓋部６を突出部５Ａに係止することで第２蓋部６を位置決めする凸部１３Ｂ（第２係止部）と備える。なお、凸部１３Ａ，１３Ｂは、第２蓋部６に取付けられた伸縮調整部材１２に設けられ、該凸部１３Ａ，１３Ｂが突出部５Ａの先端部に設けられた凹部１４と係合することで、第２蓋部６の位置決めを行なう。なお、凸部１３Ａ，１３Ｂは、第２蓋部６に直接設けられていてもよい。また、該凸部の数は任意に変更可能であり、この数に応じて、第２蓋部６の位置決めを多段階で行なうことができる。
【００４６】
本実施の形態においては、上述した構成により、第１蓋部５に対する第２蓋部６の位置を多段階で調節することができる。
【００４７】
なお、本実施の形態では、第１と第２係止部として、第２蓋部６側に複数の凸部１３Ａ，１３Ｂを設け、それらを突出部５Ａ側に設けられた凹部１４と係合させたが、第１と第２係止部としては、この構造に限られるものではない。他の例としては、たとえば、突出部５Ａ側に複数の凸部を設け、それらを第２蓋部６側に設けられた凹部１４と係合させたものなどが挙げられる。また、上述した各構造における凹凸を逆転させた構造を採用してもよい。さらには、突出部５Ａ側および第２蓋部６側の両方に、複数の係止部（凸部または凹部）を形成してもよい。
【００４８】
また、その他の事項については、実施の形態１と同様であるので、ここでは説明を省略する。
【００４９】
（実施の形態３）
図１４は、実施の形態３に係る電機掃除機を示した図である。
【００５０】
本実施の形態に係る電機掃除機は、図１４に示すように、掃除機本体３１と、吸込口本体３４と、掃除機本体３１と吸込口本体３４とを接続するサクションホース３２および接続管３３とを備える。
【００５１】
吸込口本体３４において集塵されたごみは、接続管３３、サクションホース３２を通って掃除機本体３１に達する。
【００５２】
ここで、吸込口本体３４は、上述した実施の形態１，２の構成を有する。これにより、効率よく掃除することができる電機掃除機が得られる。
【００５３】
以上、本発明の実施の形態について説明したが、上述した各実施の形態の特徴部分を適宜組み合わせることは当初から予定されている。また、今回開示された実施の形態は全ての点で例示であって制限的なものではないと考えられるべきである。本発明の範囲は特許請求の範囲によって示され、特許請求の範囲と均等の意味および範囲内での全ての変更が含まれることが意図される。
【図面の簡単な説明】
【００５４】
【図１】本発明の実施の形態１に係る電機掃除機の吸込口本体の１つの状態を示す上面図である。
【図２】本発明の実施の形態１に係る電機掃除機の吸込口本体の他の状態を示す上面図である。
【図３】本発明の実施の形態１に係る電機掃除機の吸込口本体の１つの状態を示す底面図である。
【図４】本発明の実施の形態１に係る電機掃除機の吸込口本体の他の状態を示す底面図である。
【図５】本発明の実施の形態１に係る電機掃除機の吸込口本体の１つの状態を示す上面断面図である。
【図６】本発明の実施の形態１に係る電機掃除機の吸込口本体の他の状態を示す上面断面図である。
【図７】本発明の実施の形態１に係る電機掃除機の吸込口本体内に配設される回転ブラシの１つの状態を示す正面図である。
【図８】本発明の実施の形態１に係る電機掃除機の吸込口本体内に配設される回転ブラシの他の状態を示す正面図である。
【図９】本発明の実施の形態１に係る電機掃除機の吸込口本体内に配設される回転ブラシの１つの状態を示す正面断面図である。
【図１０】図９におけるＸ−Ｘ断面を示す図である。
【図１１】本発明の実施の形態１に係る電機掃除機の吸込口本体内に配設される回転ブラシの他の状態を示す正面断面図である。
【図１２】本発明の実施の形態２に係る電機掃除機の吸込口本体の１つの状態を示す上面断面図である。
【図１３】本発明の実施の形態２に係る電機掃除機の吸込口本体の他の状態を示す上面断面図である。
【図１４】本発明の実施の形態３に係る電機掃除機の全体図である。
【符号の説明】
【００５５】
１  モータ、２Ａ  第１回転ブラシ、２Ｂ  第２回転ブラシ、３  ベルト、４  吸込路、５  第１蓋部、５Ａ  突出部、６  第２蓋部、７  第１底板、８  第２底板、９Ａ  第１軸受け部、９Ｂ  第２軸受け部、１０  ブラシ、１１  回転軸、１１Ａ  第１回転軸、１１Ｂ  第２回転軸、１２  伸縮調整部材、１３Ａ，１３Ｂ  凸部、１４  凹部、２０Ａ
第１外周部、２０Ｂ  第２外周部、２１Ａ  回転ブラシ挿入孔、２１Ｂ  挿入部、２２
回転軸挿入孔、３１  掃除機本体、３２  サクションホース、３３  接続管、３４  吸込口本体（ｓｕｃｔｉｏｎ  ｈｅａｄ）、４０  第１開口部、４０Ａ  第２開口部。
【図１】
2005124977.tif 000003
【図２】
2005124977.tif 000004
【図３】
2005124977.tif 000005
【図４】
2005124977.tif 000006
【図５】
2005124977.tif 000007
【図６】
2005124977.tif 000008
【図７】
2005124977.tif 000009
【図８】
2005124977.tif 000010
【図９】
2005124977.tif 000011
【図１０】
2005124977.tif 000012
【図１１】
2005124977.tif 000013
【図１２】
2005124977.tif 000014
【図１３】
2005124977.tif 000015
【図１４】
2005124977.tif 000016